(57)【要約】【課題】線状光源の長手方向と平行に連続する高照度箇所の照度を簡単、かつ確実に抑えることができる照射器を提供すること。【解決手段】紫外線ランプ１０と、紫外線ランプ１０の光を反射する反射面が紫外線ランプ１０の長手方向に延びる平面と前記長手方向に延びる平面の両端にて前記長手方向と略直交する方向に延びる平面とで形成された主反射板１２、及び補助反射板１４とを備え、紫外線ランプ１０の直接光と主反射板１２、及び補助反射板１４の反射光とを紫外線ランプ１０の直下のワーク２に照射する照射器１において、紫外線ランプ１０とワーク２との間に、紫外線ランプ１０の長手方向と平行に延び、ワーク２の高照度箇所の照度を抑えるように光を遮光する線状の遮光部材２１〜２３を配置した。【選択図】図２
2016129092.tif 000002
【特許請求の範囲】
【請求項１】
線状光源と、前記線状光源の光を反射する反射面が前記線状光源の長手方向に延びる平面と前記長手方向に延びる平面の両端にて前記長手方向と略直交する方向に延びる平面とで形成された反射鏡とを備え、前記線状光源の直接光と前記反射鏡の反射光とを前記線状光源の直下の照射領域に照射する照射器において、
前記線状光源と前記照射領域との間に、前記線状光源の長手方向と平行に延び、前記照射領域の高照度箇所の照度を抑えるように光を遮光する線状の遮光部材を配置したことを特徴とする照射器。
【請求項２】
前記線状光源と前記照射領域との間に、前記線状光源の長手方向に延在する光透過部材を備え、前記光透過部材に、前記遮光部材を配置したことを特徴とする請求項１に記載の照射器。
【請求項３】
前記反射鏡は、前記線状光源の近傍に配置される主反射板と、前記主反射板と前記照射領域との間に配置される補助反射板とを備え、
前記遮光部材は、前記主反射板と前記補助反射板との間、又は前記補助反射板と前記照射領域との間の少なくともいずれかに配置されることを特徴とする請求項１又は２に記載の照射器。
【請求項４】
前記主反射板と前記補助反射板との間に光学フィルタを配置し、
前記光学フィルタに、前記遮光部材を配置したことを特徴とする請求項３に記載の照射器。
【請求項５】
前記遮光部材は、前記主反射板と前記補助反射板との間に配置される第１遮光部材と、前記補助反射板と前記照射領域との間に配置される第２遮光部材とを備え、
前記第１遮光部材は、前記線状光源の長手方向と直交する長さで規定される幅が相対的に大きい高照度箇所の照度を抑え、
前記第２遮光部材は、前記幅が相対的に小さい高照度箇所の照度を抑えることを特徴とする請求項３又は４に記載の照射器。
【発明の詳細な説明】
【技術分野】
【０００１】
本発明は、線状光源を用いて照射領域を均一に照射する技術に関する。
【背景技術】
【０００２】
四角筒形状のチャンバの内壁面を反射面とし、このチャンバに線状光源のランプを収めた紫外線照射装置がある。この紫外線照射装置では、チャンバの内壁面をランプの長手方向に延びる平面に形成し、基部から先端に向けた拡開の傾斜とすることによって、ランプが正対していない照射面上の領域の光量を補っている（例えば、特許文献１参照）。
【先行技術文献】
【特許文献】
【０００３】
【特許文献１】特開２０１０−２１８７７５号公報
【発明の概要】
【発明が解決しようとする課題】
【０００４】
しかしながら、平面に形成された反射鏡の調整だけでは、照射領域の均斉度に限界がある。特に、ランプの長手方向に延びる平面で形成された反射鏡の場合、照射領域に、ランプの長手方向と平行に連続する高照度箇所が局所的に生じる、という問題があった。
【０００５】
本発明は、上述した事情に鑑みてなされたものであり、線状光源の長手方向と平行に連続する高照度箇所の照度を簡単、かつ確実に抑えることができる照射器を提供することを目的とする。
【課題を解決するための手段】
【０００６】
上記目的を達成するために、本発明は、線状光源と、前記線状光源の光を反射する反射面が前記線状光源の長手方向に延びる平面と前記長手方向に延びる平面の両端にて前記長手方向と略直交する方向に延びる平面とで形成された反射鏡とを備え、前記線状光源の直接光と前記反射鏡の反射光とを前記線状光源の直下の照射領域に照射する照射器において、前記線状光源と前記照射領域との間に、前記線状光源の長手方向と平行に延び、前記照射領域の高照度箇所の照度を抑えるように光を遮光する線状の遮光部材を配置したことを特徴とする。
【０００７】
また本発明は、上記照射器において、前記線状光源と前記照射領域との間に、前記線状光源の長手方向に延在する光透過部材を備え、前記光透過部材に、前記遮光部材を配置したことを特徴とする。
【０００８】
また本発明は、上記照射器において、前記反射鏡は、前記線状光源の近傍に配置される主反射板と、前記主反射板と前記照射領域との間に配置される補助反射板とを備え、前記遮光部材は、前記主反射板と前記補助反射板との間、又は前記補助反射板と前記照射領域との間の少なくともいずれかに配置されることを特徴とする。
【０００９】
また本発明は、上記照射器において、前記主反射板と前記補助反射板との間に光学フィルタを配置し、前記光学フィルタに、前記遮光部材を配置したことを特徴とする。
【００１０】
また本発明は、上記照射器において、前記遮光部材は、前記主反射板と前記補助反射板との間に配置される第１遮光部材と、前記補助反射板と前記照射領域との間に配置される第２遮光部材とを備え、前記第１遮光部材は、前記線状光源の長手方向と直交する長さで規定される幅が相対的に大きい高照度箇所の照度を抑え、前記第２遮光部材は、前記幅が相対的に小さい高照度箇所の照度を抑えることを特徴とする。
【発明の効果】
【００１１】
本発明によれば、線状光源の光を反射する反射面が前記線状光源の長手方向に延びる平面に形成された反射鏡とを備えた構成において、前記線状光源と照射領域との間に、前記線状光源の長手方向と平行に延び、前記照射領域の高照度箇所の照度を抑えるように光を遮光する線状の遮光部材を配置したので、反射面が線状光源の長手方向に延びる平面に形成された反射鏡を用いた場合に生じる、線状光源の長手方向と平行に延びる高照度箇所の照度を簡単、かつ確実に抑えることができる。
【図面の簡単な説明】
【００１２】
【図１】本発明の実施形態に係る照射器の外観斜視図である。
【図２】照射器の分解斜視図である。
【図３】照射器の側断面図である。
【図４】図３のＩＶ−ＩＶ断面図である。
【図５】ワーク２を上方から見たときの照度分布図であり、図５（Ａ）は遮光部材配置前の照度分布図、図５（Ｂ）は遮光部材配置後の照度分布図である。
【図６】紫外線ランプの長手方向と直交する方向のワークの照度分布を示す図であり、（Ａ）は図５（Ａ）のＸ−Ｘ位置、（Ｂ）は図５（Ｂ）のＸ−Ｘ位置の照度分布を示す図である。
【図７】遮光部材を周辺構成と共に示した図である。
【発明を実施するための形態】
【００１３】
以下、図面を参照して本発明の実施形態について説明する。以下の実施形態では、樹脂塗料や屋外建材などの耐候試験に好適に用いられる照射器を例示する。
図１は本発明の実施形態に係る照射器１の外観斜視図である。また図２は照射器１の分解斜視図である。
照射器１は、照射領域に設けられたワーク２の全域を均一な照度（すなわち良好な均斉度）で照射する器具であり、紫外線光源を用いることでワーク２の耐候性を試験する耐候性試験器として使用される。
この照射器１は、紫外線光源を構成する紫外線ランプ１０と、紫外線ランプ１０の光をワーク２に向けて反射する反射鏡を構成する主反射板１２、及び補助反射板１４とを備えている。また、この照射器１の紫外線ランプ１０には、直管型の高出力な１灯の紫外線ランプが用いられ、一つの線状光源によりワーク２を照射する構成となっている。
【００１４】
補助反射板１４の先端１４Ｂとワーク２との間には、耐紫外線材から成るガラス板１８が設けられる。ガラス板１８は、紫外線ランプ１０の長手方向に延在して補助反射板１４の下方を覆う長板形状に形成され、ガラス板１８を介して紫外線ランプ１０からの光がワーク２に照射される。つまり、このガラス板１８は、紫外線ランプ１０からの光が透過する光透過部材であり、照射器１の照射開口を保護する保護カバーとして機能する。
【００１５】
補助反射板１４の基端部１４Ａと主反射板１２との間には、波長選択フィルタ１５が設けられる。波長選択フィルタ１５は、紫外線ランプ１０の長手方向に延在する長板形状に形成され、紫外線ランプ１０の出射光に含まれる特定波長の光だけを通過させる。つまり、波長選択フィルタ１５は、ワーク２に照射する光が透過する光透過部材であり、耐候性試験に用いる特定波長の光だけを補助反射板１４に入射させる光学フィルタとして機能する。
【００１６】
図３は照射器１の側断面図であり、図４は図３のＩＶ−ＩＶ断面図である。
図３、及び図４に示すように、ワーク２は、紫外線ランプ１０の中心（管軸Ｎ）の直下を少なくとも含む領域に配置され、紫外線ランプ１０の直下を中心（長軸Ｃ）とした矩形形状である。このワーク２は、ガラス板１８の直下に隙間δをあけた位置に配置され、補助反射板１４の先端１４Ｂ側の矩形の開口（照射開口に相当）と略同じ大きさの領域が照射領域とされる。この照射器１では先端１４Ｂ側の開口から比較的近接した位置にワーク２が設定されている。
【００１７】
ワーク２は、紫外線ランプ１０の直下で紫外線ランプ１０の長手方向に延在しており、このワーク２の長辺Ｌａは、紫外線ランプ１０の管長Ｍと略同じ長さ、或いは、管長Ｍ以下の長さに設定されている。またワーク２の短辺Ｌｂは、補助反射板１４の開口幅１４Ｌ（図４参照）以下の長さ、或いは、開口幅１４Ｌと略同じ長さに設定されている。なお、この照射器１では、管長Ｍが長くアーク長が長いランプを紫外線ランプ１０に用いることでワーク２の大面積化が図られている。
【００１８】
この照射器１は、紫外線ランプ１０から放射されワーク２を外れる光を主反射板１２、及び補助反射板１４でワーク２に向けて反射することによって、ワーク２表面における紫外線ランプ１０の直射光（図４中、光を破線で示す）の照度分布を補い、ワーク２の均斉度を高めている。
【００１９】
主反射板１２は、紫外線ランプ１０の光をワーク２の短辺Ｌｂの方向に拡げ、この方向での照度の均一化を図る反射鏡である。この主反射板１２は、図４に示すように、紫外線ランプ１０の管軸Ｎに沿って延びる下方開口の樋状に形成され、紫外線ランプ１０の周囲（より正確には上、及び水平方向）を囲うように紫外線ランプ１０近傍に配置される。より具体的には、主反射板１２は、紫外線ランプ１０の上側に延在する上面反射板１２Ａと、紫外線ランプ１０の両側に延在する側面反射板１２Ｂとを備え、それぞれの紫外線ランプ１０と対向する面が反射面に形成されている。
【００２０】
上面反射板１２Ａは、紫外線ランプ１０からワーク２の反対側（上側）に向かう光Ｋ１（図４）を直下のワーク２に向け、かつ短辺Ｌｂの方向に拡げて反射することで、この短辺Ｌｂの方向を比較的均一に照射する。側面反射板１２Ｂは、紫外線ランプ１０から略水平方向に向かう光Ｋ２（図４）を下方のワーク２に向けて反射する。この主反射板１２の反射によって、ワーク２の短辺Ｌｂの方向に紫外線ランプ１０の直下の照度を振り分けることができる。
【００２１】
この主反射板１２は、紫外線ランプ１０の全長の略中央に設けられた棒状ガイド部材１３Ａ（図３参照）に固定される。主反射板１２の両端部には、図１に示すように、上方に開口するＵ字状切欠部１３Ｂを有する面状ガイド部材１３Ｃがそれぞれ設けられる。
面状ガイド部材１３Ｃは主反射板１２の形状を保持するためのガイド部材であるが、熱膨張による逃げが必要なため、面状ガイド部材１３Ｃは主反射板１２に固定されていない。なお、面状ガイド部材１３Ｃの内面には、紫外線ランプ１０の長手方向と略直交する方向に延びる平面の反射板が設けられている。
即ち、主反射板１２は、上面反射板１２Ａ、及び側面反射板１２Ｂが紫外線ランプ１０の長手方向に延びる反射面を構成し、面状ガイド部材１３Ｃ内面の反射板が、上面反射板１２Ａ、及び側面反射板１２Ｂの両端にて上記長手方向と略直交する方向に延びる反射面を構成している。
【００２２】
補助反射板１４は、主反射板１２とワーク２との間に設けられ、ワーク２の外に漏れる光Ｋ３（図４）をワーク２に向けて反射することで、紫外線ランプ１０の直接光、及び主反射板１２の反射光による照度分布を補う。
より具体的には、補助反射板１４は、図１〜図３に示すように、紫外線ランプ１０の長手方向に間隔を空けて対面する一対の端板１４Ｔと、紫外線ランプ１０の長手方向と直交する方向に間隔を空けて対面する一対の側板１４Ｓとを有し、その内壁面が反射面として構成される。一対の側板１４Ｓは、紫外線ランプ１０の長手方向に延びる反射面を構成し、一対の端板１４Ｔは、側板１４Ｓの両端にて上記長手方向と略直交する方向に延びる反射面を構成している。
補助反射板１４の基端部１４Ａの側には主反射板１２が設けられ、先端１４Ｂの側が平面視矩形に開口し、この開口が照射開口として構成されている。
【００２３】
係る構成の下、一対の端板１４Ｔ、及び側板１４Ｓは、紫外線ランプ１０、及び主反射板１２の照射だけでは照度が不足する領域に向けて紫外線ランプ１０の光を反射し、これらの反射光によって照度不足の領域の光量を補う。
また補助反射板１４は、図４に示すように、基端部１４Ａの側から先端１４Ｂの側にかけて拡開するように一対の端板１４Ｔ、及び側板１４Ｓが傾斜しており、これにより、主反射板１２が臨む基端部１４Ａの側の開口よりも広い範囲を照射する。これら端板１４Ｔ、及び側板１４Ｓの傾斜角度は、照度を補うべき領域に反射光を照射するように調整され、これにより、照射領域の均斉度を高めることができる。
【００２４】
また補助反射板１４の側板１４Ｓには、ワーク２に生じてしまう局所的な高照度箇所の照度を抑えるための複数の開口部１７（以下、照度制限開口部と言う）が設けられている。側板１４Ｓに照度制限開口部１７を設けない場合には、補助反射板１４の端板１４Ｔ、及び側板１４Ｓの角度調整だけでは、図２に示す、ワーク２の隅部Ｙａや中央部Ｙｂ、縁部中央Ｙｃ等に高照度箇所が生じてしまう。
照度制限開口部１７は、ワーク２の局所的な高照度箇所（隅部Ｙａ、中央部Ｙｂ、縁部中央Ｙｃ等）に向かう反射光を生じさせる箇所にそれぞれ設けられる。このため、これらの照度制限開口部１７では光が通過することで反射光が生じないから、ワーク２に生じる局所的な高照度箇所の照度を適切に抑えることができる。
【００２５】
図４に示すように、主反射板１２と補助反射板１４とはそれぞれ異なるステンレス製の筐体１９Ａ、１９Ｂ（図４中、二点鎖線で示す）に収容されている。この照射器１では、不図示のファンにより送られた冷気が、図４に矢印Ｗで示すように、主反射板１２を収容する筐体１９Ａ内に入り、主反射板１２の上方を通過して主反射板１２の背面を回り込んだ後に、補助反射板１４を収容する筐体１９Ｂ内に入り、一方の開口部１７から補助反射板１４内側へ入った後、他方の開口部１７から出て上記ファンに戻る。これにより、紫外線ランプ１０の発熱等の影響による紫外線ランプ１０、主反射板１２、補助反射板１４、波長選択フィルタ１５及びガラス板１８等の温度上昇を抑制することができる。
【００２６】
上記波長選択フィルタ１５は、いずれかの筐体１９Ａ、１９Ｂに取り出し自在に収納される。より具体的には、この波長選択フィルタ１５は、紫外線ランプ１０の長手方向に引き出し自在に設けられ、波長選択フィルタ１５を引き出して容易にフィルタ交換やメンテナンスができるように構成されている。
【００２７】
本構成では、図１〜図４に示すように、主反射板１２、及び補助反射板１４が、紫外線ランプ１０の光を反射する反射面が紫外線ランプ１０の長手方向に延びる平面（上面反射板１２Ａ、側面反射板１２Ｂ、及び側板１４Ｓの反射面に相当）と上記長手方向に延びる平面の両端にて上記長手方向と略直交する方向に延びる平面（面状ガイド部材１３Ｃ、及び端板１４Ｔの反射面に相当）とで形成されており、紫外線ランプ１０の直接光と主反射板１２、及び補助反射板１４の反射光とを重ね合わせて均斉度を得ている。このため、反射面を曲面に形成した構造と比べて、主反射板１２、及び補助反射板１４の構造を簡易化し、生産性、及び再現性に有利な構造となっている。
ところが、反射面を平面で形成した場合、反射面の角度調整だけでは照射領域の均斉度に限界があり、局所的に照度が高い高照度箇所が生じてしまう。特に、主反射板１２、及び補助反射板１４の反射面を紫外線ランプ１０の長手方向に延びる平面にした場合に、紫外線ランプ１０の長手方向と平行に連続する高照度箇所が生じてしまう。
【００２８】
そこで、本構成では、紫外線ランプ１０と照射領域であるワーク２との間に、紫外線ランプ１０の長手方向と平行に延びる線状の遮光部材２０を配置し、線状の遮光部材２０により、長手方向に延びる高照度箇所の光量を抑えるように構成している。
【００２９】
図５はワーク２を上方から見たときの照度分布図であり、図５（Ａ）は遮光部材２０配置前の照度分布図、図５（Ｂ）は遮光部材２０配置後の照度分布図である。また図６は紫外線ランプ１０の長手方向と直交する方向のワーク２の照度分布を示した図であり、図６（Ａ）は図５（Ａ）のＸ−Ｘ位置の照度分布を示し、図６（Ｂ）は図５（Ｂ）のＸ−Ｘ位置の照度分布を示している。
ワーク２に出現する高照度箇所の数や位置は、主反射板１２、及び補助反射板１４の平面反射板の形状等に応じて異なる。但し、本構成では、ワーク２の長軸Ｃ（紫外線ランプ１０の中心軸の直下に位置する）を基準にして主反射板１２、及び補助反射板１４が対称形状に配置されるので、長軸Ｃを基準にしてほぼ対称の照度分布となる。
【００３０】
図５（Ａ）、及び図６（Ａ）に示すように、本構成では、長軸Ｃを中心にして、長軸Ｃから相対的に離れた一対の第１領域ＡＲ１と、長軸Ｃに相対的に近い一対の第２領域ＡＲ２と、長軸Ｃ上の第３領域ＡＲ３とに、紫外線ランプ１０の長手方向に延びる高照度箇所が出現する照度分布となっている。
図６（Ａ）に示すように、第１領域ＡＲ１は、最も照度が高い位置Ｐ１を含む領域であり、紫外線ランプ１０の長手方向と直交する長さを幅と規定した場合に、その幅Ｗ１（図５（Ａ）参照）が最も大きい高照度箇所となっている。
第２領域ＡＲ２は、２番目に照度が高い位置Ｐ２を含む領域であり、その幅Ｗ２（図５（Ａ）参照）が２番目に大きい高照度箇所となっている。
【００３１】
また第３領域ＡＲ３は、３番目に照度が高い位置Ｐ３を含む領域であり、その幅Ｗ３（図５（Ａ）参照）が３番目に大きい高照度箇所となっている。この第３領域ＡＲ３は、紫外線ランプ１０の直下の位置に相当している。つまり、紫外線ランプ１０から直下に放射される直接光の影響を強く受け、周囲に比して高照度箇所となった領域である。
上記第１領域ＡＲ１、第２領域ＡＲ２、及び第３領域ＡＲ３は、ワーク２に生じる長手方向に延びる高照度箇所を上位３つまで示したものである。また各領域ＡＲ１、ＡＲ２、及びＡＲ３の幅Ｗ１、Ｗ２、及びＷ３は一例を示したものであり、各領域ＡＲ１〜ＡＲ２を判別する照度の閾値を変更することによっても各幅Ｗ１〜Ｗ３は変わるものである。
【００３２】
遮光部材２０は、紫外線ランプ１０の長手方向に延びる棒状の部材である。より具体的には、遮光部材２０は、同じ矩形断面で直線的に延びる金属製の棒であり、紫外線ランプ１０からの光を十分に遮光し、かつ、反射を抑制（光を吸収）できるように表面が黒等の濃色に形成されている。なお、表面を濃色にする処理には、メッキ処理、黒染加工、及び塗装処理などの公知の処理を広く適用可能である。
遮光部材２０は、紫外線ランプ１０とワーク２との間において紫外線ランプ１０の長手方向と平行に配置される。これにより、紫外線ランプ１０側から照射された光の一部が遮光部材２０で遮られ、遮光部材２０に遮られた、紫外線ランプ１０の長手方向と平行に延びる光の分だけ、ワーク２の照度を抑えることができる。
【００３３】
この遮光部材２０は金属製であるため、耐熱性、及び耐紫外線性を容易に確保可能である。また、遮光部材２０の表面が反射を抑制（光を吸収）する表面処理とされるので、この遮光部材２０の反射光によって高照度箇所が生じてしまう事態を回避することができる。つまり、この遮光部材２０を配置すると高照度箇所の照度が下がる作用だけが生じ、この遮光部材２０を配置することによって別の場所に高照度箇所ができてしまう、といったデメリットは回避されている。
【００３４】
図７は遮光部材２０を周辺構成と共に示した図である。
図１、図２、及び図７に示すように、遮光部材２０には、第１領域ＡＲ１の照度を抑えるための第１遮光部材２１と、第２領域ＡＲ２の照度を抑えるための第２遮光部材２２と、第３領域ＡＲ３の照度を抑えるための第３遮光部材２３とがある。
なお、第１領域ＡＲ１、及び第２領域ＡＲ２は、長軸Ｃを挟んで対称位置に存在するため、第１遮光部材２１は、長軸Ｃを挟んで対称位置にそれぞれ設けられ、第２遮光部材２２についても、長軸Ｃを挟んで対称位置にそれぞれ設けられる。つまり、遮光部材２０は、２本の第１遮光部材２１、２本の第２遮光部材２２、１本の第３遮光部材２３の計５本で構成される。
【００３５】
第１遮光部材２１は、主反射板１２と補助反射板１４との間の隙間に配置される波長選択フィルタ１５に配置される。この場合、第１遮光部材２１は、紫外線ランプ１０の長手方向と平行に延在するように波長選択フィルタ１５の上面に載置され、波長選択フィルタ１５から容易に着脱自在である。
図７に示すように、第１遮光部材２１は、紫外線ランプ１０の光軸（＝管軸Ｎ）と第１領域ＡＲ１とを結ぶ位置に配置されており、且つ、第１遮光部材２１の幅ｗａ（紫外線ランプ１０の長手方向と直交する方向の長さ）が、紫外線ランプ１０から第１領域ＡＲ１への直接光等を遮光して第１領域ＡＲ１の照度を周囲の照度近傍まで抑える幅に設定されている。
【００３６】
第１遮光部材２１には、紫外線ランプ１０の光が照射される領域よりも外側に、波長選択フィルタ１５に設けた不図示の被係合部（例えば穴や凹み）に係合する不図示の係合部（例えば突起）が設けられ、係合部が波長選択フィルタ１５の被係合部に係合することによって、第１遮光部材２１が波長選択フィルタ１５に位置決めされる。なお、第１遮光部材２１の波長選択フィルタ１５への位置決め構造は上記構造に限らず、貼り付けや締結などの公知の固定方法を広く適用可能である。このような簡易な固定方法を採用することにより、第１遮光部材２１が熱膨張しても周囲部品への影響がなく、また第１遮光部材２１の配置自由度も確保し易い。
【００３７】
第２遮光部材２２についても、第１遮光部材２１と同様に、主反射板１２と補助反射板１４との間の隙間に配置される波長選択フィルタ１５の上面にて、紫外線ランプ１０の長手方向と平行に延在するように着脱自在に配置される。また第２遮光部材２２の波長選択フィルタ１５への位置決め構造も第１遮光部材２１の場合と同様であり、第２遮光部材２２の熱膨張を許容し、且つ、第２遮光部材２２の配置自由度も確保し易くなる。
図７に示すように、第２遮光部材２２は、紫外線ランプ１０の光軸（＝管軸Ｎ）と第２領域ＡＲ２とを結ぶ位置に配置される。第２遮光部材２２の幅ｗｂについても、第１遮光部材２１と同様に、紫外線ランプ１０から遮光対象の領域（第２領域ＡＲ２）への直接光等を遮光して第２領域ＡＲ２の照度を周囲の照度近傍まで抑える幅に設定される。
【００３８】
第３遮光部材２３は、補助反射板１４とワーク２との間の隙間に配置されるガラス板１８に配置される。この第３遮光部材２３は、紫外線ランプ１０の長手方向と平行に延在するようにガラス板１８の上面に着脱自在に載置される。
また第３遮光部材２３には、紫外線ランプ１０の光が照射される領域よりも外側に、ガラス板１８に設けた不図示の被係合部（例えば穴や凹み）に係合する不図示の係合部（例えば突起）が設けられ、係合部がガラス板１８の被係合部に係合することによって、第３遮光部材２３がガラス板１８に位置決めされる。このため、第３遮光部材２３の熱膨張を許容し、且つ、第３遮光部材２３の配置自由度も確保し易くなる。
【００３９】
第３遮光部材２３は、紫外線ランプ１０の光軸（＝管軸Ｎ）と第３領域ＡＲ３とを結ぶ位置、つまり、紫外線ランプ１０の直下に配置され、その幅ｗｃは、紫外線ランプ１０から第３領域ＡＲ３への直接光等を遮光して第３領域ＡＲ３の照度を周囲の照度近傍まで抑える幅に設定される。
なお、第３遮光部材２３のガラス板１８への位置決め構造は上記構造に限らず、貼り付けや締結などの公知の固定方法を広く適用可能である。
【００４０】
このようにして、第１〜第３遮光部材２１〜２３によって、第１〜第３領域ＡＲ１〜ＡＲ３に照射される少なくとも紫外線ランプ１０の直接光を紫外線ランプ１０の長手方向に渡って抑えることができる。従って、図５（Ｂ）、及び図６（Ｂ）に示すように、第１〜第３領域ＡＲ１〜ＡＲ３の高照度箇所の照度を抑えることができ、照射領域たるワーク２表面の均斉度をより向上させることができる。
なお、第１〜第３遮光部材２１〜２３の厚さ（上下方向の長さ）は薄いことが好ましく、本構成では０．５ｍｍ程度に設定される。薄いほど、遮光対象の領域に向かう光量を抑えつつ、それ以外の領域の光量ダウンを避け易くなるからである。
【００４１】
本構成では、第１遮光部材２１、第２遮光部材２２及び第３遮光部材２３を、紫外線ランプ１０とワーク２との間に配置される波長選択フィルタ１５、及びガラス板１８に配置するので、各遮光部材２１〜２３を配置するための専用部品が不要である。このため、紫外線ランプ１０とワーク２との間の光学部品を流用して遮光部材２１〜２３を配置でき、部品点数の増大を抑え、配置構造の簡易化を図ることができる。
【００４２】
しかも第１遮光部材２１、及び第２遮光部材２２を、照射領域たるワーク２から離れた紫外線ランプ１０側に配置された波長選択フィルタ１５に配置するので、相対的に大きい幅Ｗ１、Ｗ２の高照度箇所の照度を、幅が小さい小型の第１遮光部材２１、及び第２遮光部材２２を用いて効率良く抑えることができる。これによって、第１遮光部材２１、及び第２遮光部材２２の大型化を回避することができ、既存サイズの金属棒を利用して第１遮光部材２１、及び第２遮光部材２２を製作し易くなる。
また波長選択フィルタ１５の着脱に伴い、第１遮光部材２１、及び第２遮光部材２２を容易に外に露出させることができるので、着脱や交換等の各種メンテナンスを容易に行うことができる。
【００４３】
また第３遮光部材２３を、照射領域たるワーク２近傍に配置されたガラス板１８に配置するので、相対的に小さい幅Ｗ３の高照度箇所の照度を、ある程度の幅を有する第３遮光部材２３を用いて抑えることができる。つまり、過度に第３遮光部材２３が小さくなる事態を避けることができ、既存サイズの金属棒を利用して第３遮光部材２３を製作し易くなる。
しかも、第１〜第３遮光部材２１〜２３を波長選択フィルタ１５とガラス板１８とに振り分けて配置するので、各遮光部材２１〜２３を、同一部品（波長選択フィルタ１５、又はガラス板１８等）に配置する場合と比べて、各遮光部材２１〜２３を配置し易くなる。またガラス板１８を取り出せば、第３遮光部材２３の着脱や交換等のメンテナンスを行うことができる。また第３遮光部材２３を誤って第２遮光部材２２等の位置に配置してしまう等の組み立てミスを回避し易くなる。
【００４４】
以上説明したように、線状光源である紫外線ランプ１０と照射領域たるワーク２との間に、紫外線ランプ１０の長手方向と平行に延び、ワーク２の高照度箇所の照度を抑えるように光を遮光する線状の遮光部材２０（第１〜第３遮光部材２１〜２３）を配置したので、紫外線ランプ１０の長手方向と平行に連続する高照度箇所の照度を簡単、かつ確実に抑えることができる。
従って、紫外線ランプ１０の光を反射する反射面が紫外線ランプ１０の長手方向に延びる平面と上記長手方向に延びる平面の両端にて上記長手方向と略直交する方向に延びる平面とで形成された反射鏡（主反射板１２、補助反射板１４）を用いた場合に生じる、紫外線ランプ１０の長手方向と平行に延びる高照度箇所の照度を簡単、かつ確実に抑えることができ、均斉度を向上させることができる。
【００４５】
また紫外線ランプ１０とワーク２との間に紫外線ランプ１０の長手方向に延在する光透過部材である波長選択フィルタ１５とガラス板１８とを備え、波長選択フィルタ１５とガラス板１８とに遮光部材２０を配置しているので、遮光部材２０を配置し易い。また照射器１が具備する既存部品を利用して遮光部材２０を配置できるので、遮光部材配置用の専用部品を省略でき、部品点数の増大を抑えることができる。
【００４６】
また遮光部材２０は、紫外線ランプ１０近傍の主反射板１２と、主反射板１２とワーク２との間の補助反射板１４との間、又は補助反射板１４とワーク２との間の少なくともいずれかに配置されるので、主反射板１２、補助反射板１４、及びワーク２の間のデッドスペースを利用して遮光部材２０を配置でき、スペースの有効利用が可能になる。また照射器１の大型化を回避できる。
しかも、遮光部材２０のうち、紫外線ランプ１０側の主反射板１２と補助反射板１４との間に配置される第１遮光部材２１、及び第２遮光部材２２は、相対的に大きい幅Ｗ１、Ｗ２の高照度箇所の照度を抑えるので、第１遮光部材２１、及び第２遮光部材２２の大型化を回避しながら大きい幅の高照度箇所の照度を抑えることができる。
【００４７】
さらに、遮光部材２０のうち、補助反射板１４とワーク２との間に配置される第３遮光部材２３は、相対的に小さい幅Ｗ３の高照度箇所の照度を抑えるので、第３遮光部材２３が過度に小型化することを回避しながら小さい幅の高照度箇所の照度を抑えることができる。
このようにして第１遮光部材２１〜第３遮光部材２３を振り分け配置することにより、第１遮光部材２１〜第３遮光部材２３の過度な大型化や小型化を抑えながら複数の高照度箇所の照度を抑えることができる。
【００４８】
また第１遮光部材２１、及び第２遮光部材２２は、主反射板１２と補助反射板１４との間に配置される光学フィルタである波長選択フィルタ１５に配置するので、波長選択フィルタ１５を利用して遮光部材２１、２２を配置でき、波長選択フィルタ１５の着脱に伴い遮光部材２１、２２の着脱が可能になる。
また仮に設計通りにいかず、意図せず紫外線ランプ１０の長手方向と平行に延びる高照度箇所が生じた場合に、遮光部材２０を波長選択フィルタ１５、又はガラス板１８に載置することによって、意図しない高照度箇所の照度を容易に抑えることもできる。
【００４９】
さらに本構成では、補助反射板１４に、ワーク２に局所的に生じる高照度箇所の照度を抑える照度制限開口部１７を設けているので、局所的に生じる高照度箇所についても簡単、かつ確実に抑えることができる。従って、本構成では、局所的に生じる高照度箇所、及び紫外線ランプ１０の長手方向と平行に連続する高照度箇所の両方の照度を簡易、且つ確実に抑えることができ、均斉度の向上により有利である。
【００５０】
また本構成では、金属製の遮光部材２０を用いる場合を説明したが、遮光可能な範囲で、樹脂製やガラス製などの他の素材を用いても良い。この場合、反射を抑制できるように表面を濃色にする処理を適宜に行うことが好ましい。
また本構成では、局所的な高照度箇所の照度を抑える照度制限部として、高照度箇所への反射光を抑える照度制限開口部１７を設けたが、反射光を抑制する、例えば拡散板や拡散シート等の拡散材を備える拡散部、紫外線に対する反射率が低い低反射材を備える低反射性部、或いは紫外線を吸収する紫外線吸収材を有した紫外線吸収部を照度制限開口部１７の位置に設けても良い。
なお、局所的な高照度箇所が生じない場合やその影響が問題ない場合には、局所的な高照度箇所の照度を抑える照度制限部を省略可能であることは勿論である。
【００５１】
上述した実施形態は、あくまでも本発明の一実施の態様を例示するものであって、本発明の趣旨を逸脱しない範囲で任意に変形、及び応用が可能である。
例えば、照射器１の線状光源には、２本以上の直管型の紫外線ランプ１０を、各々の管軸Ｎを同軸に直列に並べ構成したものを用いることもできる。また紫外線ランプ１０に代えて、紫外線ＬＥＤ等の発光素子を直線状に配列した線状光源を用いることもできる。
【００５２】
また、本発明の照射器１は、屋外建材の耐候試験の他にも、紫外線の均一な照射が要求される用途に好適に用いることができる。この用途には、例えば液晶パネルの光配向処理や半導体製造プロセスにおける露光処理等が挙げられる。
【符号の説明】
【００５３】
１  照射器
２  ワーク（照射領域）
１０  紫外線ランプ（線状光源）
１２  主反射板（反射鏡）
１４  補助反射板（反射鏡）
１５  波長選択フィルタ（光学フィルタ、光透過部材）
１７  照度制限開口部
１８  ガラス板（光透過部材）
２０  遮光部材
２１  第１遮光部材
２２  第２遮光部材
２３  第３遮光部材
【図１】
2016129092.tif 000003
【図２】
2016129092.tif 000004
【図３】
2016129092.tif 000005
【図４】
2016129092.tif 000006
【図６】
2016129092.tif 000007
【図７】
2016129092.tif 000008
【図５】
2016129092.tif 000009